(57)【要約】【課題】接続部が破損した場合においても取付部と支柱とが離れることなく、ランプソケットを保持している支柱を落下させないようにしたランプホルダー及び照明器具を提供する。【解決手段】ランプホルダー５０は、設置面に取り付けられる本体１０と、本体１０の下方に連接され、外周側面の少なくとも一部に突起部２１が設けられている取付部２０と、取付部２０にニップル４０を介して取り付けられ、上端部における内周側面の少なくとも一部に、突起部２１を挿通可能にしたスリット３２及びスリット３２を挿通した突起部２１が引っ掛かるツバ部３３が設けられている支柱３０と、を有している。【選択図】図２
2011100613.tif 000002
【特許請求の範囲】
【請求項１】
設置面に取り付けられる本体と、
前記本体の下方に連接され、外周側面の少なくとも一部に突起部が設けられている取付部と、
前記取付部の下端部に接続部を介して取り付けられ、上端部の少なくとも一部に、前記突起部を挿通可能にしたスリット及び前記スリットを挿通した前記突起部が引っ掛かるツバ部が設けられている支柱と、を有している
ことを特徴とするランプホルダー。
【請求項２】
前記突起部は、
前記取付部の側面の一部を切り起こすことで形成されている
ことを特徴とする請求項１に記載のランプホルダー。
【請求項３】
前記接続部は、
ニップルで構成されている
ことを特徴とする請求項１又は２に記載のランプホルダー。
【請求項４】
前記ニップルの緩みを防止する緩み防止ネジを前記取付部に設け、
前記緩み防止ネジは、
前記突起部としての機能を兼ねている
ことを特徴とする請求項３に記載のランプホルダー。
【請求項５】
設置面に取り付けられる本体と、
前記本体の下方に連接され、少なくとも一部にスリットが形成されているツバ部が外周側面に設けられている取付部と、
前記取付部の下端部に接続部を介して取り付けられ、上端側の外周側面の少なくとも一部に突起部が設けられている支柱と、を有し、
前記支柱は、
前記突起部が前記スリットを挿通して前記ツバ部に引っ掛かることで前記取付部に取り付けられる
ことを特徴とするランプホルダー。
【請求項６】
前記突起部は、
前記支柱の側面の一部を切り起こすことで形成されている
ことを特徴とする請求項５に記載のランプホルダー。
【請求項７】
前記接続部は、
ニップルで構成されている
ことを特徴とする請求項５又は６に記載のランプホルダー。
【請求項８】
請求項１〜７のいずれか一項に記載のランプホルダーと、
前記支柱に取り付けられるランプソケットと、
前記ランプソケットに装着されるランプと、
前記ランプソケットを覆うソケットカバーと、
前記ソケットカバーに取り付けられる反射笠と、を有している
ことを特徴とする照明器具。
【発明の詳細な説明】
【技術分野】
【０００１】
本発明は、ランプが取り付けられるランプホルダー及びそのランプホルダーを適用した照明器具に関するものであり、特にランプソケットを保持している支柱の落下防止機構を設け、安全性を更に向上させるようにしたランプホルダー及び照明器具に関するものである。
【背景技術】
【０００２】
通常、天井や軒天等の設置面に取り付けられる照明器具（たとえば、ＨＩＤ（Ｈｉｇｈ  Ｉｎｔｅｎｓｉｔｙ  Ｄｉｓｃｈａｒｇｅ）等）のランプホルダーは、安定器等を収納し、天井面等の設置面に取り付けられる本体と、本体の下方に連接されている取付部と、ランプが取り付けられるランプソケットを保持する支柱と、取付部と支柱とを接続するニップルと、を少なくとも有している。取付部と支柱にはそれぞれねじ溝が施され、一方のニップルにも同じくねじ構造が施されており、それぞれをねじ込むことで接続される。そして、ランプホルダーの本体自体の落下を防止するようにした技術が提案されている（特許文献１参照）。
【０００３】
接続部におけるニップルのねじ構造は、振動や衝撃を過度に受けると緩む可能性があり、ニップルを介して取り付けられている支柱が落下してしまう危険性を排除できない。その防止策として、従来は取付部に貫通孔を形成し、この貫通穴を介して緩み防止ネジでニップルを固定するようにしていた。しかしながら、支柱側でもニップルが緩んでしまう可能性があり、本来２ヶ所とも緩み防止を施す必要があった。加えて、ニップルが破損してしまった場合には、支柱の落下を防止する手立てが何もなかった。
【先行技術文献】
【特許文献】
【０００４】
【特許文献１】特開２００４−２８８５９７号公報（第１図等）
【発明の概要】
【発明が解決しようとする課題】
【０００５】
しかしながら、特許文献１に記載されているような従来の技術は、本体自体の落下のみを想定したものであり、接続部であるニップルが破損した場合を全く想定していなかった。すなわち、振動や衝撃を過度に受けた場合におけるニップルの破損を想定しておらず、ニップルを介して取り付けられている支柱の落下に対しての対策として不充分なものであった。
【０００６】
本発明は、上記のような問題を解決するためになされたもので、接続部（たとえば、ニップル）が破損した場合においても取付部と支柱とが離れることなく、ランプソケットを保持している支柱を落下させないようにしたランプホルダー及び照明器具を提供することを目的としている。
【課題を解決するための手段】
【０００７】
本発明に係るランプホルダーは、設置面に取り付けられる本体と、前記本体の下方に連接され、外周側面の少なくとも一部に突起部が設けられている取付部と、前記取付部に接続部を介して取り付けられ、上端部における内周側面の少なくとも一部に、前記突起部を挿通可能にしたスリット及び前記スリットを挿通した前記突起部が引っ掛かるツバ部が設けられている支柱と、を有していることを特徴とする。
【０００８】
本発明に係るランプホルダーは、設置面に取り付けられる本体と、前記本体の下方に連接され、少なくとも一部にスリットが形成されているツバ部が外周側面に設けられている取付部と、前記取付部の下端部に接続部を介して取り付けられ、上端側の外周側面の少なくとも一部に突起部が設けられている支柱と、を有し、前記支柱は、前記突起部が前記スリットを挿通して前記ツバ部に引っ掛かることで前記取付部に取り付けられることを特徴とする。
【０００９】
本発明に係る照明器具は、上記のランプホルダーと、前記支柱に取り付けられるランプソケットと、前記ランプソケットに装着されるランプと、前記ランプソケットを覆うソケットカバーと、前記ソケットカバーに取り付けられる反射笠と、を有していることを特徴とする。
【発明の効果】
【００１０】
本発明に係るランプホルダーによれば、新たな追加部品を使用することなく、接続部が破損した場合においても支柱を落下させないようにすることができるので、安全性の向上を図ることができる。
【００１１】
また、本発明に係る照明器具によれば、上記のランプホルダーを適用しているので、同様に高い安全性を有することになる。
【図面の簡単な説明】
【００１２】
【図１】本発明の実施の形態に係るランプホルダーの外観構成例を示す斜視図である。
【図２】ランプホルダーを分解した状態を示す分解斜視図である。
【図３】ソケットカバーの取り付け部分を斜め上から見た状態を示す拡大斜視図である。
【図４】ランプホルダーを適用した照明器具の外観構成例を示す斜視図である。
【図５】取付部と支柱との接続を説明するための説明図である。
【図６】取付部の横断面構成を示す概略図である。
【図７】支柱を上から見た状態を示す平面図である。
【図８】緩み防止ネジでニップルの緩みを防止している状態を示している模式図である。
【発明を実施するための形態】
【００１３】
以下、図面に基づいて本発明の実施の形態について説明する。
図１は、本発明の実施の形態に係るランプホルダー５０の外観構成例を示す斜視図である。図２は、ランプホルダー５０を分解した状態を示す分解斜視図である。図３は、ソケットカバー３０の取り付け部分を斜め上から見た状態を示す拡大斜視図である。図４は、ランプホルダー５０を適用した照明器具１００の外観構成例を示す斜視図である。図１〜図４に基づいて、本発明の実施の形態に係るランプホルダー５０及び照明器具１００の構成について説明する。なお、図１を含め、以下の図面では各構成部材の大きさの関係が実際のものとは異なる場合がある。
【００１４】
ランプホルダー５０は、天井面等の設置面に取り付けられる本体１０と、本体１０の下方に連接されている取付部２０と、ランプ６０が装着されるランプソケット７０が取り付けられ、取付部２０にニップル４０を介して接続される支柱３０と、取付部２０と支柱３０とを接続する接続部としてのニップル４０と、を少なくとも有している。取付部２０及び支柱３０にはそれぞれねじ溝が施されている。また、ニップル４０にも同じくねじ構造が施されている。そして、それぞれをねじ込むことで取付部２０と支柱３０とがニップル４０を介して接続されることになる。
【００１５】
本体１０は、安定器等を収納し、取付金具８０を介して天井面等に取り付けられるようになっている。取付部２０は、ランプソケット７０に接続させる電気配線等が挿通するように中空状（たとえば、円筒状）に構成され、下方端部にはねじ溝が形成されている。支柱３０は、安定器とランプソケット７０とを接続させる電気配線等が挿通するように中空状（たとえば、円筒状）に構成され、ニップル４０を介して取付部２０に取り付けられるようになっている。この支柱３０には、ランプソケット７０を覆うソケットカバー３１が取り付けられている。ニップル４０は、両端にねじ溝が形成された管状の部品であり、一方が取付部２０に、他方が支柱３０に、それぞれねじ込まれるようになっている。
【００１６】
なお、ランプソケット７０にはランプ６０（特に種類を限定するものではないが、たとえば白熱電球やＨＩＤランプ等）が取り付けられ、ソケットカバー３１には反射笠９０が取り付けられるようになっており、これらが取り付けられて照明器具１００を構成する。また、ランプホルダー５０の取付場所や取付高さを特に限定するものではないが、高所に取り付けられるような場合には特に効果的である。
【００１７】
図５は、取付部２０と支柱３０との接続を説明するための説明図である。図６は、取付部２０の横断面構成を示す概略図である。図７は、支柱３０を上から見た状態を示す平面図である。図８は、緩み防止ネジ１でニップル４０の緩みを防止している状態を示している模式図である。図５〜図８に基づいて、取付部２０と支柱３０との接続について詳細に説明する。なお、図５（ａ）がニップル４０が接続されている取付部２０を模式的に表した模式図を、図５（ｂ）がニップル４０に接続される支柱３０を模式的に表した模式図を、図５（ｃ）が取付部２０と支柱３０とが接続された状態を模式的に表した模式図を、それぞれ示している。
【００１８】
上述したように、取付部２０と支柱３０とは、ニップル４０を介して接続されるようになっている。通常、取付部２０には貫通穴２が形成されており、その貫通穴２に緩み防止ネジ１を装着して取付部２０に対するニップル４０の緩みを防止するようになっている（図８参照）。ただし、ニップル４０に対して振動や衝撃が過度にかかると、支柱３０に対するニップル４０が緩み、支柱３０が落下してしまうことになりかねない。そこで、本実施の形態に係るランプホルダー５０では、取付部２０と支柱３０の構成に工夫を加え、つまり落下防止機構を有し、ニップル４０が破損しても、支柱３０を落下させないようにしている。
【００１９】
具体的には、取付部２０の下端部側における外周側面の少なくとも一部に突起部２１を設け（図６参照）、支柱３０の上端部における内周側面の少なくとも一部に突起部２１を挿通可能にしたスリット３２（図３及び図７参照）、及び、支柱３０の上端部における内周側面の少なくとも一部にスリット３２を挿通した突起部２１が引っ掛かるツバ部３３（図５（ｂ）参照）を設けるようにしている。そして、支柱３０は、取付部２０の突起部２１がスリット３２を通った後に、ニップル４０にねじ込むことで接続される（図５（ｃ）参照）。すなわち、突起部２１、スリット３２、及び、ツバ部３３によって、落下防止機構を構成しているのである。なお、ツバ部３３は、支柱３０の上端部における内周側面に沿って周状に形成され、スリット３２で分断されるようになっている。
【００２０】
ただし、支柱３０とニップル４０との接続が終わった後に突起部２１とスリット３２との位置が重ならない状態にしておく。このような構造とすることによって、ニップル４０が破損した場合でも取付部２０の突起部２１が支柱３０のツバ部３３に引っ掛かるため落下することがない（図５（ｃ）参照）。したがって、ランプホルダー５０によれば、ニップル４０が振動や衝撃によって破損した場合でも、ニップル４０に接続されている支柱３０が落下せず、安全性の向上を図ることが可能になる。
【００２１】
なお、支柱２０の突起部２１は、支柱２０の側面の一部を切り起こしたり、別部材を取り付けたりすることで形成するとよい。また、緩み防止ネジ１を突起部２１として兼用させるようにしてもよい。緩み防止ネジ１を突起部２１として機能させる場合には、突起部２１を新たに形成しなくて済み、手間及び費用の更なる軽減に寄与できる。突起部２１の個数を特に限定するものではないが、複数個設けた方が安全性が更に向上することはいうまでもない。また、スリット３２も個数を特に限定するものではく、突起部２１の個数に応じて決定するとよい。さらに、ツバ部３３を別部品で構成し、支柱３０の上端部に取り付けるようにしてもよい。
【００２２】
本実施の形態では、突起部２１を取付部２０に設け、スリット３２を支柱３０に設けた場合を例に説明したが、これに限定するものではなく、突起部２１を支柱３０に設け、スリット３２を取付部２０に設けるようにしても同様の効果を有する。この場合には、取付部２０の外周側面に、スリット３２が形成されているツバ部３３を設ける必要がある。また、緩み防止ネジ１でニップル４０の緩みを防止することを必須の要件とするものではないが、本実施の形態の特徴事項に加えて、緩み防止ネジ１を使用するようにすれば、ニップル４０が取付部２０から落下することもなく、落下に対する安全性を更に高めることが可能になる。
【符号の説明】
【００２３】
１  緩み防止ネジ、２  貫通穴、１０  本体、２０  取付部、２１  突起部、３０  支柱、３１  ソケットカバー、３２  スリット、３３  ツバ部、４０  ニップル、５０  ランプホルダー、６０  ランプ、７０  ランプソケット、８０  取付金具、９０  反射笠、１００  照明器具。
【図１】
2011100613.tif 000003
【図２】
2011100613.tif 000004
【図３】
2011100613.tif 000005
【図４】
2011100613.tif 000006
【図５】
2011100613.tif 000007
【図６】
2011100613.tif 000008
【図７】
2011100613.tif 000009
【図８】
2011100613.tif 000010